(57)【要約】【課題】簡易な構成で、電極体と電極端子との間に集電体を配置することができる蓄電素子を提供する。【解決手段】電極体と、電極体に接続される正極集電体１２０と、正極端子２００と、正極端子２００及び正極集電体１２０を電気的に接続する接続部２１０とを備える蓄電素子１０であって、正極集電体１２０は、電極体側に配置され電極体に接続される第一電極体接続部１２１ｂ及び１２１ｃと、正極端子２００側に配置され接続部２１０に接続される第一端子接続部１２１ａとを有する第一集電体１２１と、電極体側に配置され電極体に接続される第二電極体接続部１２２ｂ及び１２２ｃと、正極端子２００側に配置され接続部２１０が挿入される第二開口部１２２ｅが形成される第二端子接続部１２２ａとを有する第二集電体１２２とを備える。【選択図】図５
2015041615.tif 000002
【特許請求の範囲】
【請求項１】
電極体と、前記電極体に接続される集電体と、電極端子と、前記電極端子及び前記集電体を電気的に接続する接続部とを備える蓄電素子であって、
前記集電体は、
前記電極体側に配置され前記電極体に接続される第一電極体接続部と、前記電極端子側に配置され前記接続部に接続される第一端子接続部とを有する第一集電体と、
前記電極体側に配置され前記電極体に接続される第二電極体接続部と、前記電極端子側に配置され前記接続部が挿入される第二開口部が形成される第二端子接続部とを有する第二集電体とを備える
蓄電素子。
【請求項２】
前記第一端子接続部には、前記接続部が挿入される第一開口部が形成されており、
前記接続部は、前記第一開口部に挿入されて、前記第一端子接続部に接続される
請求項１に記載の蓄電素子。
【請求項３】
前記第一端子接続部と前記接続部とは、一体成型されている
請求項１に記載の蓄電素子。
【請求項４】
前記第一電極体接続部は、前記第一端子接続部から前記電極体に向けて垂れ下がるように配置されており、
前記第二電極体接続部は、前記第二端子接続部から前記電極体に向けて垂れ下がるように配置されている
請求項１〜３のいずれか１項に記載の蓄電素子。
【請求項５】
前記第一電極体接続部は、前記第一端子接続部から前記電極体に向けて捻られることなく折り曲げられて形成されており、
前記第二電極体接続部は、前記第二端子接続部から前記電極体に向けて捻られることなく折り曲げられて形成されている
請求項４に記載の蓄電素子。
【請求項６】
前記第一端子接続部は、厚みが薄い第一薄肉部を有しており、
前記第二端子接続部は、厚みが薄い第二薄肉部を有しており、
前記第一集電体と前記第二集電体とは、前記第一薄肉部と前記第二薄肉部とが重ねられて配置されている
請求項１〜５のいずれか１項に記載の蓄電素子。
【請求項７】
前記第一端子接続部は、前記第一薄肉部と前記第二薄肉部とが重ねられた状態で、前記第二端子接続部の前記電極端子側の面と同一平面内に配置される面を有している
請求項６に記載の蓄電素子。
【請求項８】
前記第一端子接続部は、前記第二端子接続部に当接し、前記第一端子接続部に対する前記第二端子接続部の位置を位置決めする位置決め部を有している
請求項１〜７のいずれか１項に記載の蓄電素子。
【請求項９】
前記第一端子接続部は、前記第二端子接続部に当接することで、前記第二端子接続部の前記第一電極体接続部側への移動を規制する一対の壁部を有する
請求項１〜８のいずれか１項に記載の蓄電素子。
【請求項１０】
前記一対の壁部は、前記第一電極体接続部側の端部に向けて間隔が狭くなるように配置されている
請求項９に記載の蓄電素子。
【請求項１１】
前記第一端子接続部と前記第二端子接続部とは、溶接または機械的に接合されている
請求項１〜１０のいずれか１項に記載の蓄電素子。
【発明の詳細な説明】
【技術分野】
【０００１】
本発明は、電極体と、電極端子と、電極体及び電極端子を電気的に接続する集電体とを備える蓄電素子に関する。
【背景技術】
【０００２】
世界的な環境問題への取り組みとして、ガソリン自動車から電気自動車への転換が重要になってきている。このため、リチウムイオン二次電池などの蓄電素子を動力源に用いた電気自動車の開発が進められている。そして、このような蓄電素子においては、一般的に、正極と負極とを有する電極体と、電極端子と、電極体及び電極端子を電気的に接続する集電体とを備えている。
【０００３】
ここで、従来、例えば高レートサイクルの充放電を行うハイブリッド電気自動車（Ｈｙｂｒｉｄ  Ｅｌｅｃｔｒｉｃ  Ｖｅｈｉｃｌｅ、ＨＥＶ）に用いられるような蓄電素子においては、複数の電極体を備え、集電体を当該複数の電極体に接続する構成が提案されている（例えば、特許文献１参照）。この蓄電素子においては、集電体の電極体に接続する各部分を折り曲げて、かつ、折り曲げた各部分をねじることにより、集電体を複数の電極体に接続させている。
【先行技術文献】
【特許文献】
【０００４】
【特許文献１】特開２００３−３４６７７０号公報
【発明の概要】
【発明が解決しようとする課題】
【０００５】
しかしながら、上記従来の蓄電素子では、電極体と電極端子との間に集電体を配置する際に、電極体に集電体を接続する作業が複雑になるため、作業性が低下するという問題がある。
【０００６】
つまり、上記従来の蓄電素子においては、集電体の電極体に接続する各部分をねじることで集電体を形成しているが、当該ねじれた部分を電極体に接続させる際に、当該ねじれた部分が電極体と干渉する。このため、電極体を変形（フォーミング加工）させて、当該ねじれた部分を回避する必要があり、電極体に集電体を接続する作業が複雑になる。
【０００７】
本発明は、上記問題を解決するためになされたものであり、簡易な構成で、電極体と電極端子との間に集電体を配置することができる蓄電素子を提供することを目的とする。
【課題を解決するための手段】
【０００８】
上記目的を達成するために、本発明の一態様に係る蓄電素子は、電極体と、前記電極体に接続される集電体と、電極端子と、前記電極端子及び前記集電体を電気的に接続する接続部とを備える蓄電素子であって、前記集電体は、前記電極体側に配置され前記電極体に接続される第一電極体接続部と、前記電極端子側に配置され前記接続部に接続される第一端子接続部とを有する第一集電体と、前記電極体側に配置され前記電極体に接続される第二電極体接続部と、前記電極端子側に配置され前記接続部が挿入される第二開口部が形成される第二端子接続部とを有する第二集電体とを備える。
【０００９】
これによれば、蓄電素子は、集電体として、第一集電体と第二集電体とを備えており、第一集電体は、接続部に接続される第一端子接続部を有し、第二集電体は、接続部が挿入される第二開口部が形成される第二端子接続部を有している。つまり、蓄電素子は、複数の集電体を備えているため、複数の電極体を有する場合でも、集電体をねじることなく電極体に接続可能であるため、簡易な構成で、集電体と電極体とを接続することができる。また、集電体が複数になっても、１つの接続部で複数の集電体を電極端子に接続することができるため、部品点数が増加するのを抑制することができ、簡易な構成で、集電体と電極端子とを接続することができる。このため、複数の電極体を有する蓄電素子においても、簡易な構成で、電極体と電極端子との間に集電体を配置することができる。
【００１０】
また、前記第一端子接続部には、前記接続部が挿入される第一開口部が形成されており、前記接続部は、前記第一開口部に挿入されて、前記第一端子接続部に接続されることにしてもよい。
【００１１】
これによれば、接続部は、第一端子接続部の第一開口部に挿入されて、第一端子接続部に接続されるため、簡易な構成で、集電体と電極端子とを接続することができる。
【００１２】
また、前記第一端子接続部と前記接続部とは、一体成型されていることにしてもよい。
【００１３】
これによれば、第一端子接続部と接続部とを一体に形成することで、簡易な構成で、第一端子接続部と接続部とを接続させることができる。
【００１４】
また、前記第一電極体接続部は、前記第一端子接続部から前記電極体に向けて垂れ下がるように配置されており、前記第二電極体接続部は、前記第二端子接続部から前記電極体に向けて垂れ下がるように配置されていることにしてもよい。
【００１５】
これによれば、集電体の電極体接続部は、端子接続部から垂れ下がるように配置されているため、集電体は、平板状の部材を折り曲げたような簡単な形状である。このため、容易に集電体を製造することができ、簡易な構成で、電極体と電極端子との間に集電体を配置することができる。
【００１６】
また、前記第一電極体接続部は、前記第一端子接続部から前記電極体に向けて捻られることなく折り曲げられて形成されており、前記第二電極体接続部は、前記第二端子接続部から前記電極体に向けて捻られることなく折り曲げられて形成されていることにしてもよい。
【００１７】
これによれば、集電体が捻られることなく折り曲げられて形成されているため、電極体をフォーミング加工する必要がなく、簡易な構成で、集電体と電極体とを接続することができる。
【００１８】
また、前記第一端子接続部は、厚みが薄い第一薄肉部を有しており、前記第二端子接続部は、厚みが薄い第二薄肉部を有しており、前記第一集電体と前記第二集電体とは、前記第一薄肉部と前記第二薄肉部とが重ねられて配置されていることにしてもよい。
【００１９】
これによれば、第一端子接続部及び第二端子接続部に薄肉部を形成して当該薄肉部同士を重ね合わせることで、第一電極体接続部及び第二電極体接続部の厚みを薄くすることなく、重なり部分の厚みが厚くなるのを防ぐことができる。
【００２０】
また、前記第一端子接続部は、前記第一薄肉部と前記第二薄肉部とが重ねられた状態で、前記第二端子接続部の前記電極端子側の面と同一平面内に配置される面を有していることにしてもよい。
【００２１】
これによれば、第一端子接続部の上面と第二端子接続部の上面とが同一平面内に配置されているため、容易に、第一電極体接続部と第二電極体接続部とを同じ長さに揃えることができる。
【００２２】
また、前記第一端子接続部は、前記第二端子接続部に当接し、前記第一端子接続部に対する前記第二端子接続部の位置を位置決めする位置決め部を有していることにしてもよい。
【００２３】
これによれば、第一端子接続部と第二端子接続部とを重ね合わせる際に、位置決め部が第二端子接続部に当接することで、容易に、第一端子接続部に対する第二端子接続部の位置を位置決めして、第一集電体と第二集電体とを配置することができる。
【００２４】
また、前記第一端子接続部は、前記第二端子接続部に当接することで、前記第二端子接続部の前記第一電極体接続部側への移動を規制する一対の壁部を有することにしてもよい。
【００２５】
これによれば、第一端子接続部と第二端子接続部とを重ね合わせる際に、第一端子接続部の壁部が第二端子接続部に当接することで、容易に、第一端子接続部からの第二端子接続部の落下を防止して、第一集電体と第二集電体とを配置することができる。
【００２６】
また、前記一対の壁部は、前記第一電極体接続部側の端部に向けて間隔が狭くなるように配置されていることにしてもよい。
【００２７】
これによれば、第一端子接続部の一対の壁部が、第一電極体接続部側の端部に向けて間隔が狭くなるように配置されているため、第二端子接続部が第一電極体接続部側から抜け落ちるのを、容易に防止することができる。
【００２８】
また、前記第一端子接続部と前記第二端子接続部とは、溶接または機械的に接合されていることにしてもよい。
【００２９】
これによれば、第一端子接続部と第二端子接続部とを接合することで、第一端子接続部と第二端子接続部とを確実に接続し、第一端子接続部と第二端子接続部との間で抵抗が高くなるのを抑制することができる。
【００３０】
なお、本発明は、このような蓄電素子として実現することができるだけでなく、蓄電素子が備える集電体としても実現することができる。
【発明の効果】
【００３１】
本発明における蓄電素子によれば、簡易な構成で、電極体と電極端子との間に集電体を配置することができる。
【図面の簡単な説明】
【００３２】
【図１】本発明の実施の形態に係る蓄電素子の外観を模式的に示す斜視図である。
【図２】本発明の実施の形態に係る蓄電素子の容器の本体を分離して蓄電素子が備える各構成要素を示す斜視図である。
【図３】本発明の実施の形態に係る蓄電素子を分解した場合の各構成要素を示す分解斜視図である。
【図４】本発明の実施の形態に係る正極集電体の構成を示す斜視図である。
【図５】本発明の実施の形態に係る正極集電体が備える第一集電体及び第二集電体の構成を示す斜視図である。
【図６】本発明の実施の形態に係る第一集電体の製造過程を説明するための図である。
【図７】本発明の実施の形態に係る正極集電体が第一電極体及び第二電極体に接続されている構成を示す断面図である。
【図８】本発明の実施の形態に係る正極集電体が正極端子に接続されている構成を示す断面図である。
【図９】本発明の実施の形態の変形例１に係る正極集電体の構成を示す斜視図である。
【図１０】本発明の実施の形態の変形例１に係る正極集電体が備える第一集電体及び第二集電体の構成を示す斜視図である。
【図１１】本発明の実施の形態の変形例１に係る正極集電体を上方から見た場合の構成を示す平面図である。
【図１２】本発明の実施の形態の変形例２に係る正極集電体の構成を示す斜視図である。
【図１３】本発明の実施の形態の変形例２に係る正極集電体を備える蓄電素子の各構成要素を示す分解斜視図である。
【図１４】本発明の実施の形態の変形例３に係る正極集電体の構成を示す斜視図である。
【図１５】本発明の実施の形態の変形例３に係る正極集電体が備える第一集電体及び第二集電体の構成を示す斜視図である。
【図１６】本発明の実施の形態の変形例４に係る正極集電体の構成を示す斜視図である。
【図１７】本発明の実施の形態の変形例４に係る正極集電体が備える第一集電体及び第二集電体の構成を示す斜視図である。
【発明を実施するための形態】
【００３３】
以下、図面を参照しながら、本発明の実施の形態に係る蓄電素子について説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００３４】
（実施の形態）
まず、蓄電素子１０の構成について、説明する。
【００３５】
図１は、本発明の実施の形態に係る蓄電素子１０の外観を模式的に示す斜視図である。図２は、本発明の実施の形態に係る蓄電素子１０の容器１００の本体１１１を分離して蓄電素子１０が備える各構成要素を示す斜視図である。図３は、本発明の実施の形態に係る蓄電素子１０を分解した場合の各構成要素を示す分解斜視図である。なお、図３は、容器１００の本体１１１を省略して図示している。
【００３６】
蓄電素子１０は、電気を充電し、また、電気を放電することのできる二次電池であり、より具体的には、リチウムイオン二次電池などの非水電解質二次電池である。特に、蓄電素子１０は、高レートサイクルの充放電を行うようなハイブリッド電気自動車（ＨＥＶ）に適用される。なお、蓄電素子１０は、非水電解質二次電池には限定されず、非水電解質二次電池以外の二次電池であってもよいし、キャパシタであってもよい。
【００３７】
これらの図に示すように、蓄電素子１０は、容器１００と、正極端子２００と、負極端子３００とを備えている。また、容器１００内方には、正極集電体１２０と、負極集電体１３０と、２つの電極体である第一電極体１４１及び第二電極体１４２とが収容されている。
【００３８】
また、蓄電素子１０の容器１００の内部には電解液（非水電解液）などの液体が封入されているが、当該液体の図示は省略する。なお、容器１００に封入される電解液としては、蓄電素子１０の性能を損なうものでなければその種類に特に制限はなく様々なものを選択することができる。
【００３９】
容器１００は、矩形筒状で底を備える本体１１１と、本体１１１の開口を閉塞する板状部材である蓋体１１０とで構成されている。また、容器１００は、第一電極体１４１及び第二電極体１４２等を内部に収容後、蓋体１１０と本体１１１とが溶接等されることにより、内部を密封することができるものとなっている。なお、蓋体１１０及び本体１１１の材質は、特に限定されないが、例えばステンレス鋼など溶接可能な金属であるのが好ましい。
【００４０】
第一電極体１４１及び第二電極体１４２は、並列に配置される２つの発電要素であり、ともに、正極集電体１２０及び負極集電体１３０と電気的に接続される。なお、第一電極体１４１と第二電極体１４２とは、同様の構成を有するため、以下では第一電極体１４１についての説明を中心に行い、第二電極体１４２についての説明は省略または簡略化する。
【００４１】
第一電極体１４１は、正極と負極とセパレータとを備え、電気を蓄えることができる部材である。正極は、アルミニウムやアルミニウム合金などからなる長尺帯状の金属箔である正極基材箔上に正極活物質層が形成されたものである。また、負極は、銅や銅合金などからなる長尺帯状の金属箔である負極基材箔上に負極活物質層が形成されたものである。また、セパレータは、樹脂からなる微多孔性のシートである。
【００４２】
ここで、正極活物質層に用いられる正極活物質、または負極活物質層に用いられる負極活物質としては、リチウムイオンを吸蔵放出可能な正極活物質または負極活物質であれば、適宜公知の材料を使用できる。
【００４３】
そして、第一電極体１４１は、負極と正極との間にセパレータが挟み込まれるように層状に配置されたものが巻き回されて形成されている。なお、同図では、第一電極体１４１の形状としては長円形状を示したが、円形状または楕円形状でもよい。また、第一電極体１４１の形状は巻回型に限らず、平板状極板を積層した形状でもよい。
【００４４】
以上のように、蓄電素子１０は、複数の電極体（本実施の形態では２つの電極体）を有しているため、同一体積（容積）の容器１００に単数の電極体を用いる場合に比べ、以下の点で好ましい。つまり、複数の電極体を用いることで、単数の電極体を用いる場合に比べ、容器１００のコーナー部のデッドスペースが減り、電極体の占める割合が向上するため、蓄電素子１０の容量アップにつながる。また、特に、高入出力（ハイレート）用の電極体では、高容量タイプの電極体に比べて、金属箔上の活物質の量を減らす必要があり、電極体中での金属箔やセパレータの割合が高まる。このため、単数の電極体を用いた場合は電極の巻き数が多くなるため硬くて柔軟性が低く容器１００に挿入しづらくなるが、複数の電極体を用いることで１つの電極体における巻き数を少なくし、柔軟性が高い電極体を実現することができる。
【００４５】
正極端子２００は、第一電極体１４１の正極及び第二電極体１４２の正極に電気的に接続された電極端子であり、負極端子３００は、第一電極体１４１の負極及び第二電極体１４２の負極に電気的に接続された電極端子である。つまり、正極端子２００及び負極端子３００は、第一電極体１４１及び第二電極体１４２に蓄えられている電気を蓄電素子１０の外部空間に導出し、また、第一電極体１４１及び第二電極体１４２に電気を蓄えるために蓄電素子１０の内部空間に電気を導入するための金属製の電極端子である。
【００４６】
また、正極端子２００及び負極端子３００は、第一電極体１４１及び第二電極体１４２の上方に配置された蓋体１１０に取り付けられている。具体的には、図３に示すように、正極端子２００には、正極端子２００と正極集電体１２０とを電気的に接続する接続部２１０が設けられている。接続部２１０は、正極集電体１２０の開口部１２０ａに挿入されて、正極集電体１２０に接続される部材であり、例えばリベットである。つまり、正極端子２００は、接続部２１０が蓋体１１０の貫通孔１１０ａと正極集電体１２０の開口部１２０ａとに挿入されて、かしめられることにより、正極集電体１２０とともに蓋体１１０に固定される。
【００４７】
また同様に、負極端子３００には、負極端子３００と負極集電体１３０とを電気的に接続する接続部３１０が設けられている。接続部３１０は、負極集電体１３０の開口部１３０ａに挿入されて、負極集電体１３０に接続される部材であり、例えばリベットである。つまり、負極端子３００は、接続部３１０が蓋体１１０の貫通孔１１０ｂと負極集電体１３０の開口部１３０ａとに挿入されて、かしめられることにより、負極集電体１３０とともに蓋体１１０に固定される。
【００４８】
なお、正極端子２００と蓋体１１０との間、正極集電体１２０と蓋体１１０との間、負極端子３００と蓋体１１０との間、及び負極集電体１３０と蓋体１１０との間には、パッキン等も配置されているが、同図では省略して図示している。
【００４９】
正極集電体１２０は、第一電極体１４１及び第二電極体１４２の正極と容器１００の本体１１１の側壁との間に配置され、正極端子２００と第一電極体１４１及び第二電極体１４２の正極とに電気的に接続される導電性と剛性とを備えた部材である。なお、正極集電体１２０は、第一電極体１４１及び第二電極体１４２の正極基材箔と同様、アルミニウムまたはアルミニウム合金などで形成されている。
【００５０】
負極集電体１３０は、第一電極体１４１及び第二電極体１４２の負極と容器１００の本体１１１の側壁との間に配置され、負極端子３００と第一電極体１４１及び第二電極体１４２の負極とに電気的に接続される導電性と剛性とを備えた部材である。なお、負極集電体１３０は、第一電極体１４１及び第二電極体１４２の負極基材箔と同様、銅または銅合金などで形成されている。
【００５１】
次に、正極集電体１２０及び負極集電体１３０の構成について、詳細に説明する。なお、正極集電体１２０と負極集電体１３０とは、同様の構成を有するため、以下では正極集電体１２０についての説明を行い、負極集電体１３０についての説明は省略する。
【００５２】
図４は、本発明の実施の形態に係る正極集電体１２０の構成を示す斜視図である。また、図５は、本発明の実施の形態に係る正極集電体１２０が備える第一集電体１２１及び第二集電体１２２の構成を示す斜視図である。また、図６は、本発明の実施の形態に係る第一集電体１２１の製造過程を説明するための図である。
【００５３】
図４及び図５に示すように、正極集電体１２０は、第一集電体１２１と第二集電体１２２とを備えている。つまり、正極集電体１２０は、２つの電極体にそれぞれ接続される２つの集電体を繋げることで構成されている。
【００５４】
第一集電体１２１は、第一電極体１４１に接続される集電体であり、第一端子接続部１２１ａと、第一電極体接続部１２１ｂ及び１２１ｃとを有している。また、第二集電体１２２は、第二電極体１４２に接続される集電体であり、第二端子接続部１２２ａと、第二電極体接続部１２２ｂ及び１２２ｃとを有している。
【００５５】
第一端子接続部１２１ａは、正極端子２００側（Ｚ軸方向プラス側）に配置され、接続部２１０に接続される平板状の部位である。第一端子接続部１２１ａは、第一薄肉部１２１ｄと、位置決め部１２１ｆとを有しており、第一薄肉部１２１ｄには、第一開口部１２１ｅが形成されている。
【００５６】
第一薄肉部１２１ｄは、第一端子接続部１２１ａにおける厚みが薄い部位である。具体的には、第一薄肉部１２１ｄは、第一端子接続部１２１ａの第一薄肉部１２１ｄ以外の部分の厚みのおよそ半分の厚みを有する略長方形状の平板状の部位である。
【００５７】
位置決め部１２１ｆは、第一端子接続部１２１ａにおいて第一薄肉部１２１ｄが形成されたことで第一薄肉部１２１ｄの境界部分に形成された壁部であり、第一端子接続部１２１ａの正極端子２００側（Ｚ軸方向プラス側）に形成されている。位置決め部１２１ｆは、第二端子接続部１２２ａに当接し、第一端子接続部１２１ａに対する第二端子接続部１２２ａの位置を位置決めする。
【００５８】
第一開口部１２１ｅは、接続部２１０が挿入される円形状の貫通孔である。つまり、第一開口部１２１ｅは、接続部２１０の外形状に対応した形状を有している。なお、第一開口部１２１ｅの形状は、円形状には限定されず、楕円形状や四角形状などであってもかまわないが、接続部２１０の外形状に対応した形状であるのが好ましい。また、第一開口部１２１ｅは、接続部２１０が挿入される開口部であれば貫通孔でなくともよく、半円形状や矩形状に切り欠いた切り欠き部などであってもかまわない。
【００５９】
第一電極体接続部１２１ｂ及び１２１ｃは、第一端子接続部１２１ａの端部に接続され、第一電極体１４１側（Ｚ軸方向マイナス側）に配置された棒状の部材である。具体的には、第一電極体接続部１２１ｂ及び１２１ｃは、第一端子接続部１２１ａから第一電極体１４１に向けて垂れ下がるように配置された平板状の部材であり、第一電極体１４１に接続される。つまり、第一電極体接続部１２１ｂ及び１２１ｃは、Ｚ軸方向に延びる部材であり、ＸＺ平面に平行な面を対向して有している。
【００６０】
また、図６に示すように、第一電極体接続部１２１ｂ及び１２１ｃは、第一端子接続部１２１ａから第一電極体１４１に向けて捻られることなく折り曲げられて形成されている。つまり、折り曲げられる前の第一電極体接続部１２１ｇ及び１２１ｈは、第一端子接続部１２１ａと同一平面（ＸＹ平面）内に配置されており、この第一電極体接続部１２１ｇ及び１２１ｈがＺ軸マイナス方向に折り曲げられることで、第一端子接続部１２１ａと垂直な方向（Ｚ軸方向）に延びる第一電極体接続部１２１ｂ及び１２１ｃが形成される。
【００６１】
また、第二端子接続部１２２ａは、正極端子２００側（Ｚ軸方向プラス側）に配置され、接続部２１０に接続される平板状の部位である。第二端子接続部１２２ａは、第二薄肉部１２２ｄを有しており、第二薄肉部１２２ｄには、第二開口部１２２ｅが形成されている。
【００６２】
第二薄肉部１２２ｄは、第二端子接続部１２２ａにおける厚みが薄い部位である。具体的には、第二薄肉部１２２ｄは、第二端子接続部１２２ａの第二薄肉部１２２ｄ以外の部分の厚みのおよそ半分の厚みを有する略長方形状の平板状の部位である。
【００６３】
第二開口部１２２ｅは、接続部２１０が挿入される円形状の貫通孔である。つまり、第二開口部１２２ｅは、接続部２１０の外形状に対応した形状を有している。なお、第二開口部１２２ｅの形状は、円形状には限定されず、楕円形状や四角形状などであってもかまわないが、接続部２１０の外形状に対応した形状であるのが好ましい。また、第二開口部１２２ｅは、接続部２１０が挿入される開口部であれば貫通孔でなくともよく、半円形状や矩形状に切り欠いた切り欠き部などであってもかまわない。
【００６４】
第二電極体接続部１２２ｂ及び１２２ｃは、第二端子接続部１２２ａの端部に接続され、第二電極体１４２側（Ｚ軸方向マイナス側）に配置された棒状の部材である。具体的には、第二電極体接続部１２２ｂ及び１２２ｃは、第二端子接続部１２２ａから第二電極体１４２に向けて垂れ下がるように配置された平板状の部材であり、第二電極体１４２に接続される。つまり、第二電極体接続部１２２ｂ及び１２２ｃは、Ｚ軸方向に延びる部材であり、ＸＺ平面に平行な面を対向して有している。
【００６５】
また、第一電極体接続部１２１ｂ及び１２１ｃと同様に、第二電極体接続部１２２ｂ及び１２２ｃは、第二端子接続部１２２ａから第二電極体１４２に向けて捻られることなく折り曲げられて形成されている。つまり、折り曲げられる前の第二電極体接続部は、第二端子接続部１２２ａと同一平面（ＸＹ平面）内に配置されており、この第二電極体接続部がＺ軸マイナス方向に折り曲げられることで、第二端子接続部１２２ａと垂直な方向（Ｚ軸方向）に延びる第二電極体接続部１２２ｂ及び１２２ｃが形成される。
【００６６】
ここで、第一集電体１２１と第二集電体１２２とは、第一薄肉部１２１ｄと第二薄肉部１２２ｄとが重ねられて配置される。つまり、第一薄肉部１２１ｄと第二薄肉部１２２ｄとが重ねられて、第二薄肉部１２２ｄが位置決め部１２１ｆに当接して位置決めされることで、第一集電体１２１に対して第二集電体１２２が配置される。
【００６７】
なお、第二集電体１２２においても、第二端子接続部１２２ａのＺ軸方向マイナス側の第二薄肉部１２２ｄの境界部分に、位置決め部が形成されているが、第一集電体１２１の位置決め部１２１ｆと同様の構成であるため、図示及び説明は省略する。
【００６８】
また、図４に示すように、第一薄肉部１２１ｄ及び第二薄肉部１２２ｄは、第一端子接続部１２１ａ及び第二端子接続部１２２ａの半分の厚みであるため、第一薄肉部１２１ｄと第二薄肉部１２２ｄとが重ねられた状態で、第一端子接続部１２１ａは、第二端子接続部１２２ａの正極端子２００側（Ｚ軸方向プラス側）の面と同一平面内に配置される面を有している。同様に、第一端子接続部１２１ａは、Ｚ軸方向マイナス側の面においても、第二端子接続部１２２ａの面と同一平面内に配置される面を有している。
【００６９】
つまり、第一電極体接続部１２１ｂ及び１２１ｃと、第二電極体接続部１２２ｂ及び１２２ｃとは、Ｚ軸方向の長さが同じ長さに揃えられている。
【００７０】
また、第一開口部１２１ｅと第二開口部１２２ｅとで、開口部１２０ａを形成している。つまり、接続部２１０が、蓋体１１０の貫通孔１１０ａと開口部１２０ａ（第一開口部１２１ｅ及び第二開口部１２２ｅ）とに挿入されて、かしめられることにより、正極集電体１２０と正極端子２００とが蓋体１１０に固定される。
【００７１】
なお、開口部１２０ａの形状についても、第一開口部１２１ｅ及び第二開口部１２２ｅと同様に、円形状には限定されず、楕円形状や四角形状などであってもかまわないが、接続部２１０の外形状に対応した形状であるのが好ましい。また、開口部１２０ａは、接続部２１０が挿入される開口部であれば貫通孔でなくともよく、半円形状や矩形状に切り欠いた切り欠き部などであってもかまわない。
【００７２】
また、第一端子接続部１２１ａと第二端子接続部１２２ａとは、溶接または機械的に接合されていてもよい。つまり、第一端子接続部１２１ａと第二端子接続部１２２ａとは、第一薄肉部１２１ｄ及び第二薄肉部１２２ｄの開口部１２０ａが形成されていない箇所において、レーザ溶接、抵抗溶接、電子ビーム溶接、または超音波溶接などの溶接による接合や、かしめなどによる機械的な接合によって、固定されていてもよい。
【００７３】
次に、正極集電体１２０が第一電極体１４１及び第二電極体１４２に接続されている構成について、詳細に説明する。なお、上記と同様に、負極集電体１３０が第一電極体１４１及び第二電極体１４２に接続されている構成については、正極集電体１２０の場合と同様であるため、説明は省略する。
【００７４】
図７は、本発明の実施の形態に係る正極集電体１２０が第一電極体１４１及び第二電極体１４２に接続されている構成を示す断面図である。具体的には、同図は、図２に示した正極集電体１２０が第一電極体１４１及び第二電極体１４２に接合された状態をＸＹ平面に平行な平面で切断した場合の断面を示す断面図である。
【００７５】
第一電極体１４１及び第二電極体１４２は、正極と負極とが、セパレータを介して、巻回軸（本実施の形態ではＸ軸方向に平行な仮想軸）の方向に互いにずらして巻回されている。そして、正極及び負極は、それぞれのずらされた方向の端縁部に、活物質層が形成されていない部分（活物質層非形成部）を有している。
【００７６】
具体的には、図７に示すように、第一電極体１４１は、巻回軸方向の一端（Ｘ軸プラス方向の端部）に、正極の活物質層非形成部が積層された第一正極積層部１４１ａと第二正極積層部１４１ｂとを有している。また、同様に、第二電極体１４２は、Ｘ軸プラス方向の端部に、正極の活物質層非形成部が積層された第三正極積層部１４２ａと第四正極積層部１４２ｂとを有している。
【００７７】
そして、正極集電体１２０の第一集電体１２１において、第一電極体接続部１２１ｂは、第一正極積層部１４１ａと接合され、第一電極体接続部１２１ｃは、第二正極積層部１４１ｂと接合される。また、同様に、第二集電体１２２において、第二電極体接続部１２２ｂは、第三正極積層部１４２ａと接合され、第二電極体接続部１２２ｃは、第四正極積層部１４２ｂと接合される。
【００７８】
次に、正極集電体１２０が正極端子２００に接続されている構成について、詳細に説明する。なお、上記と同様に、負極集電体１３０が負極端子３００に接続されている構成については、正極集電体１２０の場合と同様であるため、説明は省略する。
【００７９】
また、図８は、本発明の実施の形態に係る正極集電体１２０が正極端子２００に接続されている構成を示す断面図である。具体的には、同図は、図２に示した正極端子２００と正極集電体１２０との接続箇所の構成を拡大して示す拡大断面図である。
【００８０】
同図に示すように、正極集電体１２０は、接続部２１０によって、正極端子２００と接続される。具体的には、まず、第一端子接続部１２１ａ及び第二端子接続部１２２ａが、第一開口部１２１ｅと第二開口部１２２ｅとが対応した位置に配置されるように（一致するように）、第一薄肉部１２１ｄ及び第二薄肉部１２２ｄの部分で重ねられることで、第一集電体１２１と第二集電体１２２とが配置され、正極集電体１２０が形成される。
【００８１】
そして、接続部２１０が、第一開口部１２１ｅに挿入されて、第一端子接続部１２１ａに接続される。つまり、接続部２１０が、蓋体１１０の貫通孔１１０ａと開口部１２０ａ（第一開口部１２１ｅ及び第二開口部１２２ｅ）とに挿入されて、かしめられることにより、正極集電体１２０と正極端子２００とが接続される。なお、正極端子２００と蓋体１１０との間、正極集電体１２０と蓋体１１０との間、及び貫通孔１１０ａ内には、パッキン２２０が配置されている。
【００８２】
なお、同図では、接続部２１０は、正極端子２００と一体に形成されている構成を示しているが、接続部２１０は、正極端子２００とは別体で構成されており、かしめやネジ止めなどによって正極端子２００に固定されることにしてもかまわない。
【００８３】
以上のように、本発明の実施の形態に係る蓄電素子１０によれば、正極集電体１２０は、第一集電体１２１と第二集電体１２２とを備えており、第一集電体１２１は、接続部２１０に接続される第一端子接続部１２１ａを有し、第二集電体１２２は、接続部２１０が挿入される第二開口部１２２ｅが形成される第二端子接続部１２２ａを有している。つまり、蓄電素子１０は、複数の集電体（第一集電体１２１及び第二集電体１２２）を備えているため、複数の電極体（第一電極体１４１及び第二電極体１４２）を有する場合でも、集電体をねじることなく電極体に接続可能であるため、簡易な構成で、正極集電体１２０と第一電極体１４１及び第二電極体１４２とを接続することができる。また、集電体が複数になっても、１つの接続部２１０で複数の集電体（第一集電体１２１及び第二集電体１２２）を正極端子２００に接続することができるため、部品点数が増加するのを抑制することができ、簡易な構成で、正極集電体１２０と正極端子２００とを接続することができる。このため、複数の電極体を有する蓄電素子１０においても、簡易な構成で、第一電極体１４１及び第二電極体１４２と正極端子２００との間に正極集電体１２０を配置することができる。負極集電体１３０についても同様である。
【００８４】
また、接続部２１０は、第一端子接続部１２１ａの第一開口部１２１ｅに挿入されて、第一端子接続部１２１ａに接続されるため、簡易な構成で、正極集電体１２０と正極端子２００とを接続することができる。負極集電体１３０についても同様である。
【００８５】
また、正極集電体１２０の電極体接続部は、端子接続部から垂れ下がるように配置されているため、正極集電体１２０は、平板状の部材を折り曲げたような簡単な形状である。このため、容易に正極集電体１２０を製造することができ、簡易な構成で、第一電極体１４１及び第二電極体１４２と正極端子２００との間に正極集電体１２０を配置することができる。負極集電体１３０についても同様である。
【００８６】
また、正極集電体１２０は、捻られることなく折り曲げられて形成されているため、第一電極体１４１及び第二電極体１４２をフォーミング加工する必要がなく、簡易な構成で、正極集電体１２０と第一電極体１４１及び第二電極体１４２とを接続することができる。負極集電体１３０についても同様である。
【００８７】
また、第一端子接続部１２１ａ及び第二端子接続部１２２ａに薄肉部を形成して当該薄肉部同士を重ね合わせることで、第一電極体接続部１２１ｂ及び１２１ｃと第二電極体接続部１２２ｂ及び１２２ｃとの厚みを薄くすることなく、重なり部分の厚みが厚くなるのを防ぐことができ、容器１００の中に占める第一電極体１４１と第二電極体１４２の割合を大きくすることができる。負極集電体１３０についても同様である。
【００８８】
また、第一端子接続部１２１ａの上面と第二端子接続部１２２ａの上面とが同一平面内に配置されているため、容易に、第一電極体接続部１２１ｂ及び１２１ｃと第二電極体接続部１２２ｂ及び１２２ｃとを同じ長さに揃えることができる。負極集電体１３０についても同様である。
【００８９】
また、第一端子接続部１２１ａと第二端子接続部１２２ａとを重ね合わせる際に、位置決め部１２１ｆが第二端子接続部１２２ａに当接することで、容易に、第一端子接続部１２１ａに対する第二端子接続部１２２ａの位置を位置決めして、第一集電体１２１と第二集電体１２２とを配置することができる。負極集電体１３０についても同様である。
【００９０】
また、第一端子接続部１２１ａと第二端子接続部１２２ａとを接合することで、第一端子接続部１２１ａと第二端子接続部１２２ａとを確実に接続し、第一端子接続部１２１ａと第二端子接続部１２２ａとの間で抵抗が高くなるのを抑制することができる。負極集電体１３０についても同様である。
【００９１】
（変形例１）
次に、上記実施の形態の変形例１について、説明する。
【００９２】
図９は、本発明の実施の形態の変形例１に係る正極集電体１５０の構成を示す斜視図である。また、図１０は、本発明の実施の形態の変形例１に係る正極集電体１５０が備える第一集電体１５１及び第二集電体１５２の構成を示す斜視図である。また、図１１は、本発明の実施の形態の変形例１に係る正極集電体１５０を上方（Ｚ軸方向プラス側）から見た場合の構成を示す平面図である。
【００９３】
これらの図に示すように、正極集電体１５０は、第一集電体１５１と第二集電体１５２とを備えている。つまり、正極集電体１５０は、第一集電体１５１と、第一集電体１５１の内側に配置される第二集電体１５２とを備えている。
【００９４】
第一集電体１５１は、第一端子接続部１５１ａと、第一電極体接続部１５１ｂ及び１５１ｃとを有している。また、第二集電体１５２は、第二端子接続部１５２ａと、第二電極体接続部１５２ｂ及び１５２ｃとを有している。
【００９５】
第一端子接続部１５１ａは、正極端子２００側（Ｚ軸方向プラス側）に配置され、接続部２１０に接続される平板状の部位である。第一端子接続部１５１ａは、第一薄肉部１５１ｄと、一対の壁部１５１ｆとを有しており、第一薄肉部１５１ｄには、第一開口部１５１ｅが形成されている。
【００９６】
第一薄肉部１５１ｄは、第一端子接続部１５１ａにおける厚みが薄い部位である。具体的には、第一薄肉部１５１ｄは、第一端子接続部１５１ａの第一薄肉部１５１ｄ以外の部分の厚みのおよそ半分の厚みを有するＸ軸方向に延びる平板状の部位である。
【００９７】
一対の壁部１５１ｆは、第一端子接続部１５１ａにおいて第一薄肉部１５１ｄが形成されたことで第一薄肉部１５１ｄの境界部分に形成された壁部であり、第一端子接続部１５１ａの正極端子２００側（Ｚ軸方向プラス側）に形成されている。
【００９８】
また、一対の壁部１５１ｆは、第一電極体接続部１５１ｂ及び１５１ｃ側（Ｘ軸方向プラス側）の端部に向けて間隔（Ｙ軸方向の距離）が狭くなるように配置されている。具体的には、図１１に示すように、一対の壁部１５１ｆは、第一電極体接続部１５１ｂ及び１５１ｃ側（Ｘ軸方向プラス側）の端部の間隔Ｂが、第一電極体接続部１５１ｂ及び１５１ｃとは反対側（Ｘ軸方向マイナス側）の端部の間隔Ａよりも小さくなるように配置されている。
【００９９】
これにより、一対の壁部１５１ｆは、第一端子接続部１５１ａの第一薄肉部１５１ｄ上に第二端子接続部１５２ａが載置された場合に、第二端子接続部１５２ａに当接することで、第二端子接続部１５２ａの第一電極体接続部１５１ｂ及び１５１ｃ側への移動を規制する。つまり、一対の壁部１５１ｆは、第一集電体１５１に対して第二集電体１５２を位置決めする位置決め機能と、第一集電体１５１に対して第二集電体１５２が抜け落ちるのを防止する落下防止機能とを兼ね備えた部位である。
【０１００】
第一開口部１５１ｅは、接続部２１０が挿入される円形状の貫通孔である。つまり、第一開口部１５１ｅは、接続部２１０の外形状に対応した形状を有している。なお、第一開口部１５１ｅの形状は、円形状には限定されず、楕円形状や四角形状などであってもかまわないが、接続部２１０の外形状に対応した形状であるのが好ましい。また、第一開口部１５１ｅは、接続部２１０が挿入される開口部であれば貫通孔でなくともよく、半円形状や矩形状に切り欠いた切り欠き部などであってもかまわない。
【０１０１】
第一電極体接続部１５１ｂ及び１５１ｃは、第一端子接続部１５１ａの両側面部に接続され、第一電極体１４１及び第二電極体１４２側（Ｚ軸方向マイナス側）に配置された棒状の部材である。具体的には、第一電極体接続部１５１ｂ及び１５１ｃは、第一端子接続部１５１ａの対向する両側面部から第一電極体１４１及び第二電極体１４２に向けて垂れ下がるように配置された平板状の部材であり、第一電極体１４１及び第二電極体１４２にそれぞれ接続される。
【０１０２】
つまり、第一電極体接続部１５１ｂ及び１５１ｃは、Ｚ軸方向に延びる部材であり、ＸＺ平面に平行な面を対向して有している。そして、第一電極体接続部１５１ｂは、図７に示された第一正極積層部１４１ａに接続され、第一電極体接続部１５１ｃは、第四正極積層部１４２ｂに接続される。
【０１０３】
また、図６に示した第一集電体１２１と同様に、第一電極体接続部１５１ｂ及び１５１ｃは、第一端子接続部１５１ａの対向する両側面部から第一電極体１４１及び第二電極体１４２に向けて捻られることなく折り曲げられて形成されている。
【０１０４】
また、第二端子接続部１５２ａは、正極端子２００側（Ｚ軸方向プラス側）に配置され、接続部２１０に接続される平板状の部位である。第二端子接続部１５２ａは、第二薄肉部１５２ｄを有しており、第二薄肉部１５２ｄには、第二開口部１５２ｅが形成されている。
【０１０５】
第二薄肉部１５２ｄは、第二端子接続部１５２ａにおける厚みが薄い部位である。具体的には、第二薄肉部１５２ｄは、第二端子接続部１５２ａの第二薄肉部１５２ｄ以外の部分の厚みのおよそ半分の厚みを有するＸ軸方向に延びる平板状の部位である。
【０１０６】
第二開口部１５２ｅは、接続部２１０が挿入される円形状の貫通孔である。つまり、第二開口部１５２ｅは、接続部２１０の外形状に対応した形状を有している。なお、第二開口部１５２ｅの形状は、円形状には限定されず、楕円形状や四角形状などであってもかまわないが、接続部２１０の外形状に対応した形状であるのが好ましい。また、第二開口部１５２ｅは、接続部２１０が挿入される開口部であれば貫通孔でなくともよく、半円形状や矩形状に切り欠いた切り欠き部などであってもかまわない。
【０１０７】
第二電極体接続部１５２ｂ及び１５２ｃは、第二端子接続部１５２ａの端部に接続され、第一電極体１４１及び第二電極体１４２側（Ｚ軸方向マイナス側）に配置された棒状の部材である。また、第二電極体接続部１５２ｂ及び１５２ｃは、第一電極体接続部１５１ｂと第一電極体接続部１５１ｃとの間に配置される。
【０１０８】
具体的には、第二電極体接続部１５２ｂ及び１５２ｃは、第二端子接続部１５２ａから第一電極体１４１及び第二電極体１４２に向けて垂れ下がるように配置された平板状の部材であり、第一電極体１４１及び第二電極体１４２にそれぞれ接続される。
【０１０９】
つまり、第二電極体接続部１５２ｂ及び１５２ｃは、Ｚ軸方向に延びる部材であり、ＸＺ平面に平行な面を対向して有している。そして、第二電極体接続部１５２ｂは、図７に示された第二正極積層部１４１ｂに接続され、第二電極体接続部１５２ｃは、第三正極積層部１４２ａに接続される。
【０１１０】
また、第一電極体接続部１５１ｂ及び１５１ｃと同様に、第二電極体接続部１５２ｂ及び１５２ｃは、第二端子接続部１５２ａから第二電極体１４２に向けて捻られることなく折り曲げられて形成されている。
【０１１１】
ここで、第一集電体１５１と第二集電体１５２とは、第一薄肉部１５１ｄと第二薄肉部１５２ｄとが重ねられて配置される。つまり、第一薄肉部１５１ｄと第二薄肉部１５２ｄとが重ねられて、第二薄肉部１５２ｄが一対の壁部１５１ｆに当接して位置決めされることで、第一集電体１５１に対して第二集電体１５２が配置される。
【０１１２】
また、図９に示すように、第一薄肉部１５１ｄ及び第二薄肉部１５２ｄは、第一端子接続部１５１ａ及び第二端子接続部１５２ａの半分の厚みであるため、第一薄肉部１５１ｄと第二薄肉部１５２ｄとが重ねられた状態で、第一端子接続部１５１ａは、第二端子接続部１５２ａの正極端子２００側（Ｚ軸方向プラス側）の面と同一平面内に配置される面を有している。同様に、第一端子接続部１５１ａは、Ｚ軸方向マイナス側の面においても、第二端子接続部１５２ａの面と同一平面内に配置される面を有している。
【０１１３】
つまり、第一電極体接続部１５１ｂ及び１５１ｃと、第二電極体接続部１５２ｂ及び１５２ｃとは、Ｚ軸方向の長さが同じ長さに揃えられている。
【０１１４】
また、第一開口部１５１ｅと第二開口部１５２ｅとで、開口部１５０ａを形成している。つまり、接続部２１０が、蓋体１１０の貫通孔１１０ａと開口部１５０ａ（第一開口部１５１ｅ及び第二開口部１５２ｅ）とに挿入されて、かしめられることにより、正極集電体１５０と正極端子２００とが蓋体１１０に固定される。
【０１１５】
なお、開口部１５０ａの形状についても、第一開口部１５１ｅ及び第二開口部１５２ｅと同様に、円形状には限定されず、楕円形状や四角形状などであってもかまわないが、接続部２１０の外形状に対応した形状であるのが好ましい。また、開口部１５０ａは、接続部２１０が挿入される開口部であれば貫通孔でなくともよく、半円形状や矩形状に切り欠いた切り欠き部などであってもかまわない。
【０１１６】
また、第一端子接続部１５１ａと第二端子接続部１５２ａとは、溶接または機械的に接合されていてもよい。つまり、第一端子接続部１５１ａと第二端子接続部１５２ａとは、第一薄肉部１５１ｄ及び第二薄肉部１５２ｄの開口部１５０ａが形成されていない箇所において、レーザ溶接、抵抗溶接、電子ビーム溶接、または超音波溶接などの溶接による接合や、かしめなどによる機械的な接合によって、固定されていてもよい。
【０１１７】
以上のように、本発明の実施の形態の変形例１に係る蓄電素子によれば、上記実施の形態と同様の効果を奏する。特に、第一端子接続部１５１ａと第二端子接続部１５２ａとを重ね合わせる際に、第一端子接続部１５１ａの一対の壁部１５１ｆが第二端子接続部１５２ａに当接することで、容易に、第一端子接続部１５１ａからの第二端子接続部１５２ａの落下を防止して、第一集電体１５１と第二集電体１５２とを配置することができる。
【０１１８】
具体的には、第一端子接続部１５１ａの一対の壁部１５１ｆが、第一電極体接続部１５１ｂ及び１５１ｃ側の端部に向けて間隔が狭くなるように配置されているため、第二端子接続部１５２ａが第一電極体接続部１５１ｂ及び１５１ｃ側から抜け落ちるのを、容易に防止することができる。
【０１１９】
（変形例２）
次に、上記実施の形態の変形例２について、説明する。
【０１２０】
図１２は、本発明の実施の形態の変形例２に係る正極集電体１６０の構成を示す斜視図である。また、図１３は、本発明の実施の形態の変形例２に係る正極集電体１６０を備える蓄電素子１１の各構成要素を示す分解斜視図である。
【０１２１】
これらの図に示すように、正極集電体１６０は、第一集電体１６１と第二集電体１６２と第三集電体１６３とを備えている。つまり、正極集電体１６０は、第一集電体１６１と、第一集電体１６１の内側に配置される第二集電体１６２及び第三集電体１６３とを備えている。
【０１２２】
第一集電体１６１は、第一端子接続部１６１ａと、第一電極体接続部１６１ｂ及び１６１ｃとを有している。また、第二集電体１６２は、第二端子接続部１６２ａと、第二電極体接続部１６２ｂ及び１６２ｃとを有しており、第三集電体１６３は、第三端子接続部１６３ａと、第三電極体接続部１６３ｂ及び１６３ｃとを有している。
【０１２３】
つまり、蓄電素子１１は、３つの電極体（第一電極体１４１、第二電極体１４２及び第三電極体１４３）を備えており、正極集電体１６０は、当該３つの電極体に接続するために、６本の電極体接続部を有している構成となっている。
【０１２４】
なお、第一集電体１６１は、上記変形例１における第一集電体１５１と同様の構成を有し、第二集電体１６２及び第三集電体１６３は、上記変形例１における第二集電体１５２と同様の構成を有するため、各部の詳細な説明は省略する。
【０１２５】
ここで、正極集電体１６０には、開口部１６０ａ及び１６０ｂが形成されている。つまり、第一集電体１６１と第二集電体１６２には、開口部１６０ａを形成する開口部がそれぞれ形成されており、第一集電体１６１と第三集電体１６３には、開口部１６０ｂを形成する開口部がそれぞれ形成されている。
【０１２６】
開口部１６０ａ及び１６０ｂは、正極端子２０１に接続された接続部２１１及び２１２がそれぞれ挿入される円形状の貫通孔である。つまり、接続部２１１及び２１２が蓋体１１０の貫通孔１１０ｃ及び１１０ｄと正極集電体１６０の開口部１６０ａ及び１６０ｂとにそれぞれ挿入されて、かしめられることにより、正極集電体１６０と正極端子２０１とがともに蓋体１１０に固定される。
【０１２７】
なお、開口部１６０ａ及び１６０ｂの形状は、円形状には限定されず、楕円形状や四角形状などであってもかまわないが、接続部２１１及び２１２の外形状に対応した形状であるのが好ましい。また、開口部１６０ａ及び１６０ｂは、接続部２１１及び２１２が挿入される開口部であれば貫通孔でなくともよく、半円形状や矩形状に切り欠いた切り欠き部などであってもかまわない。
【０１２８】
また、負極集電体１７０についても同様に、開口部１７０ａ及び１７０ｂが形成されている。そして、接続部３１１及び３１２が蓋体１１０の貫通孔１１０ｅ及び１１０ｆと負極集電体１７０の開口部１７０ａ及び１７０ｂとにそれぞれ挿入されて、かしめられることにより、負極集電体１７０と負極端子３０１とがともに蓋体１１０に固定される。
【０１２９】
以上のように、本発明の実施の形態の変形例２に係る蓄電素子１１によれば、特に、蓄電素子１１が３つの電極体を有している構成において、上記実施の形態及び変形例１と同様の効果を奏する。また、集電体が電極端子に複数の接続部で接続されるため、集電体を安定して固定することができる。
【０１３０】
なお、蓄電素子が４つ以上の電極体を有する場合にも、本変形例と同様に、組み合わせる集電体の数を増やすことで、適用可能である。
【０１３１】
（変形例３）
次に、上記実施の形態の変形例３について、説明する。
【０１３２】
図１４は、本発明の実施の形態の変形例３に係る正極集電体１８０の構成を示す斜視図である。また、図１５は、本発明の実施の形態の変形例３に係る正極集電体１８０が備える第一集電体１８１及び第二集電体１８２の構成を示す斜視図である。具体的には、同図は、図１４に示された正極集電体１８０を第一集電体１８１及び第二集電体１８２に分解した状態を斜め下方から見た場合の図である。
【０１３３】
これらの図に示すように、正極集電体１８０は、第一集電体１８１と第二集電体１８２とを備えている。つまり、正極集電体１８０は、第一集電体１８１と、第一集電体１８１の内側に配置される第二集電体１８２とを備えている。
【０１３４】
そして、第一集電体１８１は、第一端子接続部１８１ａと、第一電極体接続部１８１ｂ及び１８１ｃとを有しており、第一端子接続部１８１ａは、第一薄肉部１８１ｄと、一対の壁部１８１ｆとを有しており、第一薄肉部１８１ｄには、第一開口部１８１ｅ（開口部１８０ａ）が形成されている。
【０１３５】
また、第二集電体１８２は、第二端子接続部１８２ａと、第二電極体接続部１８２ｂ及び１８２ｃとを有しており、第二端子接続部１８２ａは、第二薄肉部１８２ｄを有しており、第二薄肉部１８２ｄには、第二開口部１８２ｅ（開口部１８０ａ）が形成されている。
【０１３６】
ここで、上記変形例１における第一集電体１５１においては、第一端子接続部１５１ａの上側（Ｚ軸方向プラス側）の面が凹んで第一薄肉部１５１ｄと一対の壁部１５１ｆとが形成されているのに対し、本変形例における第一集電体１８１においては、第一端子接続部１８１ａの下側（Ｚ軸方向マイナス側）の面が凹んで第一薄肉部１８１ｄと一対の壁部１８１ｆとが形成されている。
【０１３７】
また、上記変形例１における第二集電体１５２においては、第二端子接続部１５２ａの下側（Ｚ軸方向マイナス側）の面が凹んで第二薄肉部１５２ｄが形成されているのに対し、本変形例における第二集電体１８２においては、第二端子接続部１８２ａの上側（Ｚ軸方向プラス側）の面が凹んで第二薄肉部１８２ｄが形成されている。
【０１３８】
そして、第一薄肉部１８１ｄと第二薄肉部１８２ｄとが重なるように、第一集電体１８１の下方から第二集電体１８２が接続されることで、正極集電体１８０が形成される。
【０１３９】
なお、正極集電体１８０の第一集電体１８１及び第二集電体１８２における上記以外の構成については、上記変形例１における正極集電体１５０の第一集電体１５１及び第二集電体１５２の構成と同様であるため、詳細な説明は省略する。
【０１４０】
以上のように、本発明の実施の形態の変形例３に係る蓄電素子によれば、上記実施の形態及び変形例１と同様の効果を奏する。特に、第二集電体１８２に対して第一集電体１８１が落下するのを防止することができる。また、第一集電体１８１及び第二集電体１８２を上下方向を逆にして（Ｚ軸マイナス方向を上向きにして）組み立てる場合には、第二集電体１８２が第一集電体１８１から抜け落ちるのを防止することができる。
【０１４１】
（変形例４）
次に、上記実施の形態の変形例４について、説明する。
【０１４２】
図１６は、本発明の実施の形態の変形例４に係る正極集電体１９０の構成を示す斜視図である。また、図１７は、本発明の実施の形態の変形例４に係る正極集電体１９０が備える第一集電体１９１及び第二集電体１９２の構成を示す斜視図である。
【０１４３】
これらの図に示すように、正極集電体１９０は、第一集電体１９１と第二集電体１９２とを備えている。そして、第一集電体１９１は、第一端子接続部１９１ａと、第一電極体接続部１９１ｂ及び１９１ｃと、接続部１９３とを有しており、第一端子接続部１９１ａは、第一薄肉部１９１ｄと、位置決め部１９１ｆとを有している。また、第二集電体１９２は、第二端子接続部１９２ａと、第二電極体接続部１９２ｂ及び１９２ｃとを有しており、第二端子接続部１９２ａは、第二薄肉部１９２ｄを有し、第二薄肉部１９２ｄには、第二開口部１９２ｅが形成されている。
【０１４４】
つまり、本変形例における正極集電体１９０は、第一集電体１９１が接続部１９３を有している点で、上記実施の形態における第一集電体１２１とは異なる。接続部１９３は、上記実施の形態における第一端子接続部１２１ａの第一開口部１２１ｅが形成されている位置と対応する第一端子接続部１９１ａ上の位置に配置されている。なお、本変形例における正極集電体１９０が有するその他の構成については、上記実施の形態における正極集電体１２０が有する構成と同様であるため、詳細な説明は省略する。
【０１４５】
接続部１９３は、第一端子接続部１９１ａに接続された円柱形状の部位である。具体的には、接続部１９３は、第一端子接続部１９１ａの第一薄肉部１９１ｄ上に配置され、第一端子接続部１９１ａと一体成型によって一体に形成されている。そして、接続部１９３は、上記実施の形態における接続部２１０と同様の機能を有している。つまり、正極集電体１９０は、接続部１９３によって、正極端子と接続される。
【０１４６】
具体的には、まず、接続部１９３が第二開口部１９２ｅに挿入されて、第一端子接続部１９１ａ及び第二端子接続部１９２ａが、第一薄肉部１９１ｄ及び第二薄肉部１９２ｄの部分で重ねられる。これにより、第一集電体１９１上に第二集電体１９２が配置され、正極集電体１９０が形成される。
【０１４７】
そして、接続部１９３が、蓋体１１０の貫通孔１１０ａと正極端子に形成された貫通孔とに挿入されて、かしめられることにより、正極集電体１９０と正極端子とが接続される。なお、接続部１９３は、かしめではなく、ネジ止めなどによって正極端子に固定されることにしてもよい。また、接続部１９３は、円柱形状には限定されず、角柱形状などであってもよく、また、内部に凹部や貫通孔が形成された筒形状であってもかまわない。
【０１４８】
以上のように、本発明の実施の形態の変形例４に係る蓄電素子によれば、上記実施の形態と同様の効果を奏する。特に、第一端子接続部１９１ａと接続部１９３とを一体に形成することで、簡易な構成で、第一端子接続部１９１ａと接続部１９３とを接続させることができる。また、接続部１９３が第二開口部１９２ｅに挿入されることで、第一集電体１９１に対して第二集電体１９２を位置決めすることができ、また、第一集電体１９１から第二集電体１９２が抜け落ちるのを防止することもできる。
【０１４９】
以上、本発明の実施の形態及びその変形例に係る蓄電素子について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１５０】
例えば、上記実施の形態及びその変形例では、第一端子接続部の上面と第二端子接続部の上面とが同一平面内に配置されており、第一電極体接続部と第二電極体接続部とが同じ長さに揃えられていることとした。しかし、第一端子接続部の上面と第二端子接続部の上面とは同一平面内に配置されていなくともよく、また、第一電極体接続部と第二電極体接続部とは同じ長さに揃えられていなくともかまわない。例えば、第一電極体接続部と第二電極体接続部とが接続される複数の電極体が異なる大きさである場合には、第一電極体接続部と第二電極体接続部との長さを当該複数の電極体の大きさに合わせて調整することで、当該複数の電極体を安定的に固定することができる。
【０１５１】
また、上記実施の形態及びその変形例では、第一端子接続部及び第二端子接続部は、薄肉部を有していることとしたが、薄肉部を有していない構成でもかまわない。
【０１５２】
また、上記実施の形態及びその変形例では、第一端子接続部は、位置決め部または一対の壁部を有していることとしたが、第一端子接続部は、位置決め部または一対の壁部を有していない構成でもかまわない。
【０１５３】
また、上記実施の形態及びその変形例では、第一端子接続部と第二端子接続部とは、溶接または機械的に接合されていることとしたが、第一端子接続部と第二端子接続部とは、溶接及び機械的な接合がなされていなくてもかまわない。
【０１５４】
また、上記実施の形態及びその変形例では、集電体と電極端子とは接続部によるかしめによって接続されていることとしたが、接続部による接続方法はかしめには限定されず、どのような方法によって接続されていてもよい。
【０１５５】
また、上記実施の形態及び変形例１、３では、第一集電体は２つの第一電極体接続部を有し、第二集電体は２つの第二電極体接続部を有しており、集電体は２つの電極体に接続されていることとした。しかし、第一集電体は１つの第一電極体接続部しか有しておらず、第二集電体も１つの第二電極体接続部しか有しておらず、集電体は１つの電極体にしか接続されていない構成でもかまわない。
【０１５６】
また、上記実施の形態及びその変形例では、負極集電体１３０は、上記の正極集電体１２０と同様の構成を有していることとしたが、上記の構成を有するのは正極集電体１２０のみであってもよい。または、負極集電体１３０のみ上記の構成を有することにしてもかまわない。
【０１５７】
また、上記実施の形態及び上記変形例を任意に組み合わせて構築される形態も、本発明の範囲内に含まれる。例えば、上記変形例１〜３に、変形例４に係る変形を施したり、上記変形例２に、変形例３に係る変形を施したりしてもかまわない。また、本発明は、上記のような蓄電素子として実現することができるだけでなく、蓄電素子が備える集電体としても実現することができる。
【産業上の利用可能性】
【０１５８】
本発明は、リチウムイオン二次電池などの蓄電素子等に適用できる。
【符号の説明】
【０１５９】
１０、１１  蓄電素子
１００  容器
１１０  蓋体
１１０ａ、１１０ｂ、１１０ｃ、１１０ｄ、１１０ｅ、１１０ｆ  貫通孔
１１１  本体
１２０、１５０、１６０、１８０、１９０  正極集電体
１２０ａ、１５０ａ、１６０ａ、１６０ｂ、１７０ａ、１７０ｂ、１８０ａ  開口部
１２１、１５１、１６１、１８１、１９１  第一集電体
１２１ａ、１５１ａ、１６１ａ、１８１ａ、１９１ａ  第一端子接続部
１２１ｂ、１２１ｃ、１２１ｇ、１２１ｈ、１５１ｂ、１５１ｃ、１６１ｂ、１６１ｃ、１８１ｂ、１８１ｃ、１９１ｂ、１９１ｃ  第一電極体接続部
１２１ｄ、１５１ｄ、１８１ｄ、１９１ｄ  第一薄肉部
１２１ｅ、１５１ｅ、１８１ｅ  第一開口部
１２１ｆ、１９１ｆ  位置決め部
１２２、１５２、１６２、１８２、１９２  第二集電体
１２２ａ、１５２ａ、１６２ａ、１８２ａ、１９２ａ  第二端子接続部
１２２ｂ、１２２ｃ、１５２ｂ、１５２ｃ、１６２ｂ、１６２ｃ、１８２ｂ、１８２ｃ、１９２ｂ、１９２ｃ  第二電極体接続部
１２２ｄ、１５２ｄ、１８２ｄ、１９２ｄ  第二薄肉部
１２２ｅ、１５２ｅ、１８２ｅ、１９２ｅ  第二開口部
１３０、１７０  負極集電体
１３０ａ  開口部
１４１  第一電極体
１４１ａ  第一正極積層部
１４１ｂ  第二正極積層部
１４２  第二電極体
１４２ａ  第三正極積層部
１４２ｂ  第四正極積層部
１４３  第三電極体
１５１ｆ、１８１ｆ  一対の壁部
１６３  第三集電体
１６３ａ  第三端子接続部
１６３ｂ、１６３ｃ  第三電極体接続部
１９３、２１０、２１１、２１２、３１０、３１１、３１２  接続部
２００、２０１  正極端子
２２０  パッキン
３００、３０１  負極端子
【図１】
2015041615.tif 000003
【図２】
2015041615.tif 000004
【図３】
2015041615.tif 000005
【図４】
2015041615.tif 000006
【図５】
2015041615.tif 000007
【図６】
2015041615.tif 000008
【図７】
2015041615.tif 000009
【図８】
2015041615.tif 000010
【図９】
2015041615.tif 000011
【図１０】
2015041615.tif 000012
【図１１】
2015041615.tif 000013
【図１２】
2015041615.tif 000014
【図１３】
2015041615.tif 000015
【図１４】
2015041615.tif 000016
【図１５】
2015041615.tif 000017
【図１６】
2015041615.tif 000018
【図１７】
2015041615.tif 000019